(57)【要約】【課題】Ｘ線の照射時間を必要最小限にして画像の安定したＸ線撮像装置を得る。【解決手段】Ｘ線発生装置（１）、該Ｘ線発生装置（１）によって照射された被写体（２）をＸ線蛍光板（３）を介して画像入力するテレビカメラ（４）、テレビモニタ（１５）、及び制御部（５）を設け、前記制御部（５）は、フレーム数を設定するフレーム数設定部（７）と、該フレーム数設定部（７）で設定されたフレーム数に達した際にＸ線発生装置（１）の作動を停止させる照射規制部（９）と、テレビカメラ（４）から得た画像を蓄積・記憶する画像蓄積・記憶部（１１）とを設ける。【選択図】　　　　図１
2004113311.tif 000002
【特許請求の範囲】
【請求項１】
Ｘ線発生装置（１）、該Ｘ線発生装置（１）によって照射された被写体（２）をＸ線蛍光板（３）を介して画像入力するテレビカメラ（４）、テレビモニタ（１５）、及び制御部（５）を設け、制御部（５）は、フレーム数を設定するフレーム数設定部（７）と、該フレーム数設定部（７）で設定されたフレーム数に達した際にＸ線発生装置（１）の作動を停止させる照射規制部（９）と、テレビカメラ（４）から得た画像を蓄積・記憶する画像蓄積・記憶部（１１）とを設けてなることを特徴するＸ線撮像装置。
【請求項２】
照射規制部（９）は、照射スイッチのオン時から設定されたフレーム数に達する間、Ｘ線管の陽極に電圧を付与するようにしたことを特徴とする請求項１記載のＸ線撮像装置。
【請求項３】
テレビカメラ（４）から得た画像の蓄積開始をＸ線発生装置（１）の動作よりも一定期間遅らせるタイマー部（１０）を設けたことを特徴とする請求項１又は２記載のＸ線撮像装置。
【発明の詳細な説明】
【０００１】
【発明の属する技術分野】
本発明は、検査、診断等に用いるＸ線撮像装置に関するものである。
【０００２】
【従来の技術】
従来のＸ線撮像装置として、Ｘ線撮像装置のスイッチを手動によりオン操作して該Ｘ線発生装置から被写体にＸ線を照射し、その透過像をＸ線蛍光板で可視像に変換し、該可視像をテレビカメラで撮影し、その画像を画像処理制御部の記録媒体に記録し、その信号を読み出してテレビモニタに画像信号を送り、該テレビモニタの画像を確認した後、Ｘ線撮像装置のスイッチを手動によりオフするようにしたものがあった。
【０００３】
【発明が解決しようとする課題】
上記従来のものは、構成が簡単で小型かつ安価にして画像化できるが、画像変換感度が低いため、Ｘ線量を増やして画像を鮮明にしたり、所定の内容が確認できるまでＸ線照射を持続させるようにしていた。また、Ｘ線照射のオン・オフを手動で行っていたので、Ｘ線照射の停止時期が遅延しがちであった。このため上記従来のものは安全性に乏しいものであった。本発明は、画像積算に必要な時間以外はＸ線の照射を行わないようにすることにより、安全性の高いＸ線撮像装置を得ることを目的とする。
【０００４】
【課題を解決するための手段】
本発明は上記目的を達成するために、以下の如く構成したものである。即ち、請求項１に係る発明は、Ｘ線発生装置、該Ｘ線発生装置によって照射された被写体をＸ線蛍光板を介して画像入力するテレビカメラ、テレビモニタ、及び制御部を設け、制御部は、フレーム数を設定するフレーム数設定部と、該フレーム数設定部で設定されたフレーム数に達した際にＸ線発生装置の作動を停止させる照射規制部と、テレビカメラから得た画像を蓄積・記憶する画像蓄積・記憶部とを設ける構成にしたものである。
請求項２に係る発明は、前記照射規制部により、照射スイッチのオン時から設定されたフレーム数に達する間、Ｘ線管の陽極に電圧を付与するようにしたものである。また、請求項３に係る発明は、テレビカメラから得た画像の蓄積開始をＸ線発生装置の動作よりも一定期間遅らせるタイマー部を設けるようにしたものである。
【０００５】
【発明の実施の形態】
以下本発明の実施の形態を図に基づいて説明する。図において、図１は本発明の実施例を示すブロック図、図２は図１の動作を示すフローチャート、図３はタイムチャートである。
【０００６】
図１において、１はＸ線発生装置であり、熱陰極から放出される電子を対陽極に衝突させてＸ線を発生させるＸ線管を有し、該Ｘ線管の熱陰極はＸ線管ヒーターのオンにより加熱作動され、該Ｘ線管の陽極電圧は後述する制御部５からの信号によってオン・オフされるようになっている。２は被写体であり、本例では犬、猫、馬等の動物からなる。３はＸ線による被写体２の透過像を可視像に変換するＸ線蛍光板、４はＣＣＤを内蔵したテレビカメラであり、上記Ｘ線蛍光板３により変換された可視像を撮影する。
【０００７】
５は上記Ｘ線発生装置１の作動を制御したり、テレビカメラ４の映像を蓄積・記憶したり、該蓄積した画像をテレビモニタ１５に送ったりする制御部であり、以下の機能部を有する。即ち、所定の信号を入出力して各部で要求される演算及び処理を行う演算・処理部６、画像積算数を被写体２に合うように設定するフレーム数設定部７、Ｘ線発生装置１のＸ線源、つまりＸ線管の陽極電圧をオンする照射スイッチ部８、画像積算数が設定されたフレーム数になった際に上記Ｘ線管の陽極電圧をオフする照射規制部９、Ｘ線発生装置１の立ち上がり時間を設定するタイマー部１０、該タイマー部１０の信号を受けて入力した画像を蓄積・記憶する画像蓄積・記憶部１１、入力した画像を処理・調整する画像処理・調整部１２等を有する。
【０００８】
図２は制御部５のフローチャート、図３はタイムチャートである。なお、図２においてＳ１〜Ｓ１０はフローチャートのステップを示す。まず、Ｘ線発生装置１、テレビカメラ４、及びテレビモニタ１５を制御部５が内装されているコントロールボックス（図示省略）に接続し、各機器の初期設定を行なう。また、被写体２をＸ線発生装置１とＸ線蛍光板３との間の所定位置に位置決めする。
【０００９】
この状態において、ステップＳ１でＸ線発生装置１、テレビカメラ４、テレビモニタ１５、及び制御部５のスイッチをオンにすると、上記Ｘ線発生装置１はそのＸ線管の陰極が加熱作動される。次いでＳ２で照射スイッチがオン操作されると、Ｓ３でＸ線発生装置１のＸ線管の陽極電圧がオンされＸ線を被写体２に向けて照射し始める（図３のＡ点）。このＸ線による被写体２の透過像はＸ線蛍光板３によって可視像に変換され、該可視像をテレビカメラ４が撮影する。次いで、Ｓ４において、タイマー部１０で設定した立ち上がり時間（１００ｍｓ）が経過したか否かを判断し、該立ち上がり時間が経過すると、Ｓ５において、画像蓄積・記憶部１１で上記テレビカメラ４の画像の蓄積及び記憶が開始される（図３のＢ点）。
【００１０】
また、Ｓ６で画像蓄積・記憶部１１に入力された画像がテレビモニタ１５に送られる。次いで、Ｓ７で画像積算数が設定されたフレーム数になったか否かを判断し、設定されたフレーム数になると、Ｓ８で画像蓄積・記憶部１１での画像の蓄積が終了し、同時にＳ９で照射規制部９の信号により上記Ｘ線管の陽極電圧をオフし、Ｘ線照射を停止させる（図３のＣ点）。次いでＳ１０に進行し、ここでオペレーター（撮影者）が画像処理・調整部１２を介して制御部５に入力・記憶された画像を処理・調整する。
【００１１】
【発明の効果】
以上の説明から明らかな如く、本願の請求項１に係る発明は、制御部で画像積算に必要なフレーム数を設定し、Ｘ線の照射時間をこのフレーム数に対応させるようにしたので、Ｘ線の照射時間が必要最小限となり、安全性が高くなる。
また、請求項２に係る発明は、Ｘ線発生装置のＸ線管の陰極をＸ管ヒーターのオンにより加熱作動させ、Ｘ線管の陽極電圧は、制御部からの指令でオン・オフさせるようにしたので、Ｘ線の照射時間を必要最小限にしながら、Ｘ線照射の応答性が高くなる。
また、請求項３に係る発明は、テレビカメラから得た画像の蓄積開始をＸ線発生装置の動作よりも一定期間遅らせるようにしたので、画像の蓄積及び記憶が安定することになる。
【図面の簡単な説明】
【図１】図１は本発明の実施例を示すブロック図である。
【図２】図１の動作を示すフローチャートである。
【図３】本発明による制御部のタイムチャートである。
【符号の説明】
１　　Ｘ線発生装置
２　　被写体
３　　Ｘ線蛍光板
４　　テレビカメラ
５　　制御部
６　　演算・処理部
７　　フレーム数設定部
８　　照射スイッチ部
９　　照射規制部
１０　　タイマー部
１１　　画像蓄積・記憶部
１２　　画像処理・調整部
１５　　テレビモニタ
【図１】
2004113311.tif 000003
【図２】
2004113311.tif 000004
【図３】
2004113311.tif 000005